(57)【特許請求の範囲】
【請求項１】
数十ミリの間隔を隔てて平行に配置された一対の天井支持バーが、天井板の長さに対応する間隔を隔てて複数組平行に配置され、隣り合う組の天井支持バー間に天井板が架設され、前記一対の天井支持バーにおける天井支持バー間の溝内に、ＬＥＤによる照明器具と、スプリンクラー、非常用照明器具、スピーカー等の設備器具のうち少なくとも一つの設備器具とが組み込まれていて、
前記照明器具は、前記溝内に上方から落とし込まれると、前記一対の天井支持バーの下部のフランジにケーシングが載置され、該ケーシングの両側面に形成した爪部が前記一対の天井支持バーの上端補強部に係止するように構成されていることを特徴とするライン型システム天井。
【請求項２】
一対の天井支持バーにおける天井支持バー間の溝内に、ＬＥＤによる照明器具と、スプリンクラー、非常用照明器具、スピーカー等の設備器具のうち少なくとも一つの設備器具と、空調リターン部とが組み込まれていることを特徴とする請求項１に記載のライン型システム天井。
【発明の詳細な説明】
【技術分野】
【０００１】
本発明は、例えば、オフィス、商業施設、それらが入る建物の廊下などの天井として利用するのに好適なシステム天井に関し、詳しくは、下端に所定モジュールの様々な天井構成部材を載せ掛けるためのフランジが形成された複数本の互いに平行な天井支持バーと、それらの天井支持バーの間に設置された天井板と、照明器具と、スプリンクラー、非常用照明器具、放送用のスピーカーなどの設備器具等で構成されるライン型システム天井の改良に関する。
【背景技術】
【０００２】
従来のシステム天井では、図９や特許文献１、２に示すように、狭い間隔で配置された一対（２本一組）の天井支持バー（例えば、ＴバーやＨバーが用いられている。）１ａ，１ｂの隙間に、スプリンクラー４、非常用照明器具５、スピーカー６等の設備器具を組み込んで構成する設備機器ラインとは別に、隣り合う二組の天井支持バー１ａ，１ｂ、１ａ，１ｂの間に直管蛍光灯３０を設置して照明ラインを構成していた。
【０００３】
そのため、天井支持バー１ａ，１ｂの使用本数が多くて、コストが高く付くばかりでなく、天井面の構成要素、天井面を横切る直線が多くて、意匠的に煩雑な印象を与えるといった問題点があった。殊に、長い廊下や細長い店舗の天井に適用された場合、細長い天井面を多数の直線（天井支持バー１ａ，１ｂ）が横切ることになるので、その傾向が顕著であった。
【０００４】
尚、特許文献２には、狭い間隔で配置された一対（２本一組）の天井支持バー間に、スポットライトを組み込んだライン型システム天井が記載されている。しかしながら、特許文献２のライン型システム天井では、天井支持バーの間隔が大中小の三種とされ、大間隔の天井支持バー間に天井板を設置し、中間隔の天井支持バー間に直管蛍光灯を２本ずつ設置して主照明とし、狭い間隔の天井支持バー間に放送用スピーカーや空調用空気の吹出し口を設置すると共に、補助照明としてスポットライトを設置しているものである。換言すれば、特許文献２のライン型システム天井は、設備機器ラインとは別に主照明の照明ラインを構成しているものであり、天井支持バーの本数が多くて、コストが高く付き、天井面の構成要素、天井面を横切る直線が多くて、意匠的に煩雑な印象を与えるといった問題点は解決されていない。
【先行技術文献】
【特許文献】
【０００５】
【特許文献１】特開２００３−１３５４１号公報
【特許文献２】特開平５-３２５６０６号公報
【発明の概要】
【発明が解決しようとする課題】
【０００６】
本発明は、上記の問題点を踏まえてなされたものであって、その目的とするところは、ライン型システム天井において、天井支持バーの本数を減少してコストダウンを図ると共に、天井面を横切る直線を少なくして、意匠的にすっきりした美しい天井面を創出できるようにすることにある。
【課題を解決するための手段】
【０００７】
上記の目的を達成するために、本発明が講じた技術的手段は、次の通りである。即ち、請求項１に記載の発明によるライン型システム天井は、数十ミリの間隔を隔てて平行に配置された一対の天井支持バーが、天井板の長さに対応する間隔を隔てて複数組平行に配置され、隣り合う組の天井支持バー間に天井板が架設され、前記一対の天井支持バーにおける天井支持バー間の溝内に、ＬＥＤによる照明器具と、スプリンクラー、非常用照明器具、スピーカー等の設備器具のうち少なくとも一つの設備器具とが組み込まれていて、
前記照明器具は、前記溝内に上方から落とし込まれると、前記一対の天井支持バーの下部のフランジにケーシングが載置され、該ケーシングの両側面に形成した爪部が前記一対の天井支持バーの上端補強部に係止するように構成されていることを特徴としている。
【０００８】
請求項２に記載の発明は、請求項１に記載のライン型システム天井であって、一対の天井支持バーにおける天井支持バー間の溝内に、ＬＥＤによる照明器具と、スプリンクラー、非常用照明器具、スピーカー等の設備器具のうち少なくとも一つの設備器具と、空調リターン部とが組み込まれていることを特徴としている。
【発明の効果】
【０００９】
請求項１に記載の発明によれば、スプリンクラー、非常用照明器具、スピーカー等、煙感知器を除く全ての設備器具を組み込む一対の天井支持バー間の溝内にＬＥＤによる照明器具を組み込んだので、設備ラインと照明ラインが同一直線上に配置されることになり、これらのライン間に天井板を配置した天井面となる。従って、従来の直管蛍光灯による照明ラインが省略され、天井支持バーの本数が半減されることになるので、天井支持バーの本数の減少によるコストダウンが可能であり、しかも、天井面の構成要素、天井面を横切る直線を少なくして、意匠的にすっきりした美しい天井面を創出できる。
【００１０】
請求項２に記載の発明によれば、ＬＥＤによる照明器具や設備器具に加え、空調リターン部を一対の天井支持バー間の溝内に組み込んだので、請求項１の発明による効果に加えて、天井裏空間をリターン風用のダクトとして利用できる効果がある。
【図面の簡単な説明】
【００１１】
【図１】本発明に係るライン型システム天井の斜視図である。
【図２】図１に示したライン型システム天井の見上げ図である。
【図３】図２のＡ−Ａ断面図である。
【図４】図２のＢ−Ｂ断面図である。
【図５】図２のＣ−Ｃ断面図である。
【図６】要部の斜視図である。
【図７】ＬＥＤによる照明器具の組込み方法を説明する要部の縦断正面図である。
【図８】ＬＥＤによる照明器具を組み込んだ状態を示す要部の縦断正面図である。
【図９】従来のライン型システム天井の見上げ図である。
【発明を実施するための形態】
【００１２】
以下、本発明に係るライン型システム天井を図１〜図８に基づいて説明する。このライン型システム天井は、図示の通り、数十ミリの間隔Ｌ（図示の実施例では、４５ｍｍである。）を隔てて平行に配置された一対の天井支持バー１ａ，１ｂが、天井板２の長さ（図示の実施例では、約１８００ｍｍ）に対応する間隔を隔てて複数組平行に配置され、隣り合う組の天井支持バー１ａ，１ｂ、１ａ，１ｂ間に天井板２が架設され、前記一対の天井支持バー１ａ，１ｂにおける天井支持バー１ａ，１ｂ間の溝内に、ＬＥＤによる照明器具（ケーシング３ａ内に多数のＬＥＤ３ｂをライン状に配設して構成した細長い形状の照明器具）３と、スプリンクラー４、非常用照明器具５、スピーカー６等、煙感知器を除く全ての設備器具のうち少なくとも一つの設備器具と、空調リターン部７とが組み込まれて成るものである。
【００１３】
前記天井支持バー１ａ，１ｂとして、図示の実施例では、アルミ製のＴバーを用いているが、Ｔバーの代わりにＨバーを用いて実施してもよい。８は、壁面９にビスや釘等で固定された回り縁、１０は、天井支持バー１ａ，１ｂをＴバー受けチャンネル１１に吊下げ支持させるためのクリップ、１２は、天井支持バー１ａ，１ｂの間隔調整用ネジ、１３は、Ｔバー受けチャンネル１１を躯体スラブ（図示せず）に吊下げ支持させるための吊りボルトである。
【００１４】
ＬＥＤによる照明器具３は、図６、図７に示すように、一対の天井支持バー１ａ，１ｂ間の溝内に、上方から落とし込み、図４、図８に示すように、ケーシング３ａを天井支持バー１ａ，１ｂのフランジに載置すると共に、図４に示すように、ケーシング３ａの両側面に形成した爪部３ｃを天井支持バー１ａ，１ｂの上端補強部に係止させてある。
【００１５】
上記の構成によれば、スプリンクラー４、非常用照明器具５、スピーカー６、空調リターン部７等、煙感知器を除く全ての設備器具を組み込む一対の天井支持バー１ａ，１ｂ間の溝内にＬＥＤによる照明器具３を組み込んだので、設備ラインと照明ラインが同一直線上に配置されることになり、これらのライン間に天井板２を配置した天井面となる。
【００１６】
従って、従来の直管蛍光灯３０による照明ラインが省略され、天井支持バー１ａ，１ｂの本数が半減されることになるので、天井支持バー１ａ，１ｂの本数の減少によるコストダウンが可能であり、しかも、天井面の構成要素、天井面を横切る直線を少なくして、意匠的にすっきりした美しい天井面を創出できる。
【００１７】
以上、本発明の実施形態を図面に基づいて説明したが、例えば、空調リターン部7を省略したり、あるいは、空調リターン部7を空調吹出し口に変更するなど、本発明は、その要旨の範囲内で種々の形態で実施することが可能であり、図示の実施形態に限定されるものではない。
【符号の説明】
【００１８】
１ａ，１ｂ  天井支持バー
２  天井板
３  ＬＥＤによる照明器具
３ａ  ケーシング
３ｂ  ＬＥＤ
３ｃ  爪部
４  スプリンクラー
５  非常用照明器具
６  スピーカー
７  空調リターン部
８  回り縁
９  壁面
１０  クリップ
１１  Ｔバー受けチャンネル
１２  間隔調整用ネジ
１３  吊りボルト
３０  直管蛍光灯
【図１】
0005825667.tif 000002
【図２】
0005825667.tif 000003
【図３】
0005825667.tif 000004
【図４】
0005825667.tif 000005
【図５】
0005825667.tif 000006
【図６】
0005825667.tif 000007
【図７】
0005825667.tif 000008
【図８】
0005825667.tif 000009
【図９】
0005825667.tif 000010